(57)【要約】      （修正有）【課題】靴のタンの一部を利用して、タンの表面に断熱性の材料で発熱剤収容袋を形成し、発熱剤を挿入することにより暖房機能付き靴を提供する。【解決手段】発熱剤収容袋７は、通常少なくとも１個の材料で一体に構成されているタン６を発熱剤収容袋を構成する底材料として兼用し、タン６の材料と同種又は異種の材料を発熱剤収容袋を構成する表層材８として使用して、タン６の縁部と接合して製袋する。その際、発熱剤収容袋７の一方の端部に、発熱剤を脱着するための開口部９を形成する。即ち、タン６の前方部１２を発熱剤収容袋７の底材料として利用し、タン６の材料と同種又は異種の材料を発熱剤収容袋を構成する表層材８として使用して、タン６の前方部１２の縁部と接合して製袋し、タン６の後方部１３をタン６の本来の単一材料のまま残す。このことにより、発熱剤を開口部９を介して発熱剤収容袋７へ挿入する際、または発熱剤を開口部９を介し発熱剤収容袋７から抜き出す際の作業性が確保される。【選択図】図２
0003167379.tif 000002
【実用新案登録請求の範囲】
【請求項１】
底（１）と、足の胛部（３）、爪先部（４）及び踵部（５）全体を覆う胛皮（２）とから主として構成され、胛皮（２）の中央部分に形成されていて、靴紐を締めた時に足に食い込むのを防いだり、砂などが靴内部へ侵入するのを防止するタン（６）を備えた靴において、前記タン（６）の表面に断熱性の材料で後方に向けて開口部（９）を有する発熱剤収容袋（７）を形成し、前記発熱剤収容袋（７）に発熱剤を着脱可能に挿入した暖房機能付き靴。
【請求項２】
前記断熱性の材料はウレタンである請求項１に記載した靴。
【請求項３】
前記開口部（９）に発熱剤収容袋（７）を開閉するための係止装置（１０、１１）を取付け、挿入されている発熱剤を挿入及び抜き出しを可能にした請求項１又は２に記載した靴。
【請求項４】
前記係止装置（１０、１１）が、面状ファスナー、スナップ・ボタン、クリップ又はジッパーである請求項１〜３のいずれか１項に記載した靴。
【考案の詳細な説明】
【技術分野】
【０００１】  本考案は、暖房機能付き靴に関する。より詳細には、本考案は、タンを備えた靴のタンの一部をそのまま利用して、タンの表面に断熱性の材料で後方に向けて開口部を有する発熱剤収容袋を形成し、発熱剤を着脱可能に挿入した暖房機能付き靴に関する。
【背景技術】
【０００２】  近年、多種多様な材料、発熱機構をもった、いわゆる「使い捨てカイロ」が使用されている。たとえば、下着に貼るタイプ、或いは靴の底に置くタイプ等がある。通常の「使い捨てカイロ」は、発熱すると約５０℃の温度を約１時間維持する機能がある。従って、このような発熱機能を有する「カイロ」を靴の底に置いた場合、足裏及び左右の甲皮と完全な密閉状態のため、簡単に脱着することが不可能なため、低温や火傷を負う事故が発生している。【０００３】  また、特許文献１は、「底部材の上側を甲部材で被覆した履物であって、前記甲部材の適所に扁平状の使い捨てカイロを収容するカイロ収容部を設け、さらに該カイロ収容部の開口部を開閉手段により開閉可能としたことを特徴とする暖房機能つき履物」を開示している。【０００４】  特許文献１を詳細に検討したが、実施例１〜１４は、いずれもスリッパやルームシューズを対象とするものであって、それをそのまま、通常の屋外用靴に応用することはできない。しかも、特許文献１に記載された考案は、スリッパやルームシューズには本来不要の部品、即ち、扁平状の使い捨てカイロを収容するカイロ収容部、及びカイロ収容部の開口部を開閉する開閉手段を設けることを必須条件としておりコストを上げる要因ともなっていた。
【先行技術文献】
【特許文献１】実用新案登録第３１２２６３３号
【考案の概要】
【考案が解決しようとする課題】
【０００５】  考案が解決しようとする第１の課題は、屋外用靴に暖房機能を付与することである。【０００６】  考案が解決しようとする第２の課題は、屋外用靴に暖房機能を付与するに当たり、絶対に使用者に低温火傷を負わせないような構造にすることである。【０００７】  考案が解決しようとする第３の課題は、屋外用靴に暖房機能を付与すること自体は靴にとって副次的機能である。従って、材料及び製造コストをできるだけ抑えた単純な構造にすることである。【０００８】  考案が解決しようとする第４の課題は、発熱剤の靴への着脱を速やかに行い、一旦挿入した発熱剤は使用中確実に固定され、簡単に脱落しないような構成にすることである。
その他の課題及び利点は以下逐次明らかにされる。
【課題を解決するための手段】
【０００９】  前記課題を下記に記載する手段により解決される。
１．底と、足の胛部、爪先部及び踵部全体を覆う胛皮とから主として構成され、胛皮の中央部分に形成されていて、靴紐を締めた時に足に食い込むのを防いだり、砂などが靴内部へ侵入するのを防止するタンを備えた靴において、前記タンの表面に断熱性の材料で後方に向けて開口部を有する発熱剤収容袋を形成し、前記発熱剤収容袋に発熱剤を着脱可能に挿入した暖房機能付き靴。【００１０】２．前記１項において、断熱性の材料をウレタンとする。【００１１】３．前記１項又は２項において、開口部に、発熱剤収容袋を開閉するための係止装置を取付け、挿入されている発熱剤を挿入及び抜き出しを可能にする。【００１２】４．前記１〜３のいずれか１項において、係止装置を、面状ファスナー、スナップ・ボタン、クリップ又はジッパーとする。
【考案の効果】
【００１３】  請求項１に記載した考案により、底と、足の胛部、爪先部及び踵部全体を覆う胛皮とから主として構成され、胛皮の中央部分に形成されていて、靴紐を締めた時に足に食い込むのを防いだり、砂などが靴内部へ侵入するのを防止するタンを備えた靴において、前記タンの表面に断熱性の材料で後方に向けて開口部を有する発熱剤収容袋を形成し、前記発熱剤収容袋に発熱剤を着脱可能に挿入したので、下記に例示する効果を奏功する。
（１）屋外用靴に付属しているタン自体を利用して靴に暖房機能を付与するので、本来靴にとって副次的機能で暖房機能を、材料及び製造コストをできるだけ抑えて付与することが可能となる。【００１４】（２）タンを断熱性の材料で製造するので、使用者に低温火傷を負わせないような構造にすることができる。【００１５】（３）タンを断熱性の材料で後方に向けて開口部を有する発熱剤収容袋状に形成し、発熱剤収容袋に発熱剤を着脱可能に挿入するので、使用環境の状況、使用者の希望等により随時脱着ができるので、前記（２）項で述べた効果と相俟って使用者に低温火傷を負わせる危険性の排除が一層確保される。【００１６】  請求項２に記載した考案により、断熱性の材料として、靴の製造用材料として汎用性のあるウレタンとしたので、特段に製造コストを上げることがない。【００１７】  請求項３に記載した考案により、開口部に発熱剤収容袋を開閉するための係止装置を取付け、発熱剤の発熱剤収容袋への挿入を容易にし、一旦挿入した発熱剤を使用中確実に固定し、発熱剤の効果を維持・確保し、所望により、挿入されている発熱剤の発熱剤収容袋からの抜き出しを容易にする。【００１８】  請求項４に記載した考案により、いずれも靴の製造用材料として汎用性のある面状ファスナー、スナップ・ボタン、クリップ又はジッパーを係止装置として使用するので、特段に製造コストを上げることがない。
【図面の簡単な説明】
【００１９】
【図１】本考案による暖房機能付き靴で、タンに設けた発熱剤収容袋に発熱剤を挿入する前の状態を示す全体斜視図である。
【図２】図１に示した本考案による暖房機能付き靴のタンで、発熱剤収容袋に発熱剤を挿入する前の状態を示す全体斜視図である。
【図３】図２の平面図である。
【図４】図３のＩ−ＩＩ面の断面図である。
【考案を実施するための形態】
【００２０】  以下添付した図面を参照して実施例を説明する。
【実施例】
【００２１】  図Ｉは、本考案による暖房機能付き靴の全体斜視図で、タンに設けた発熱剤収容袋に発熱剤を挿入する前の状態を示す全体斜視図である。図２は、図１に示した本考案による暖房機能付き靴のタンだけの全体斜視図で、発熱剤収容袋に発熱剤を挿入する前の状態を示す。図３は図２の平面図である。図４は、図３のＩ−ＩＩ面の断面図である。【００２２】  図１において、１は底である。本考案は靴の底の材料に拘束されないので、靴の底の材料は革、合成皮革、天然又は合成ゴム、またはそれらの複合材から任意に選択される。また、底の構成及びデザインも任意に決定される。【００２３】  図１において、２は胛皮で、爪先胛部３，爪先部４，及び踵部５全体を完全に被覆している。【００２４】  図１〜３において、６はタンである。タンは、舌革、砂除け革、シュータン、ベロ等との呼称されていて、靴紐を締めた時に足に食い込むのを防いだり、砂などが靴内部へ侵入するのを防止する機能を有している。タンの材料は特段に限定されないが、靴材料として汎用性のあるウレタンが断熱性、材料コスト、成形性、入手の容易性等から好ましい。【００２５】  図１〜４において、７はタン６の表面に形成された発熱剤収容袋である。発熱剤収容袋７は、通常少なくとも１個の材料で一体に構成されているタン６を発熱剤収容袋を構成する底材料として兼用し、タン６の材料と同種又は異種の材料を発熱剤収容袋を構成する表層材８として使用して、タン６の縁部と接合して製袋する。その際、発熱剤収容袋７の一方の端部に、発熱剤を脱着するための開口部９を形成する。即ち、図２及び４に明確に示したように、靴の爪先方向向いたタン６の前方部１２を発熱剤収容袋７の底材料として利用し、タン６の材料と同種又は異種の材料を発熱剤収容袋を構成する表層材８として使用して、タン６の前方部１２の縁部と接合して製袋し、タン６の後方部１３をタン６の本来の単一材料のまま残す。このことにより、発熱剤を開口部９を介して発熱剤収容袋７へ挿入する際、または発熱剤を開口部９を介し発熱剤収容袋７から抜き出す際の作業性が確保される。【００２６】  従って、発熱剤収容袋７を製造するのに必要とする材料は、表層材８だけでよい。表層材料８は、革、布、合成皮革、天然又は合成ゴム、またはそれらの複合材から任意に選択される。【００２７】  図１〜４において、１０、１１は、開口部９を接合して発熱剤収容袋７を閉鎖するための係止装置である。係止装置１０、１１としては、面状ファスナー、スナップ・ボタン、クリップ又はジッパー等から任意に選択される。但し、加工の容易性、製造コスト、使用の容易性等の諸点から面状ファスナーが最も好ましい。係止装置として面状ファスナーを使用する場合は、図４に示したように、発熱剤収容袋７（図１〜３）を構成する表層材８の端縁部に面状ファスナー１０のフック面かループ面を接合し、タン６の前記表層材８の端縁部に対応する箇所に面状ファスナー１１のループ面かフック面を接合する。【００２８】  本考案の暖房機能付き靴による安全性に関して説明する。本考案で使用に適した発熱剤は、いわゆる携帯カイロが適している。現在携帯カイロとしては、白金触媒式カイロ、潜熱を利用した潜熱蓄熱タイプ、電池��カイロ、灰式カイロ、鉄粉の酸化作用を利用した使い捨てカイロ等が多種多様なタイプが市販されている。然しながら、構造が簡単で、安価で、安全性が高く、不織布等の発熱剤収容袋に充填されていて柔軟性に富み形状の変化に追随性がある等の理由から鉄粉の酸化作用を利用した使い捨てカイロが好ましい。さらに、タン６の材料として断熱性があるウレタンを使用し、発熱剤として使い捨てカイロを使用した場合、通常、人が低温火傷を起こす温度と時間である４４℃で３〜４時間或いは４６℃で３０分〜１時間、５０℃で２〜３分には達しておらず、低温火傷を起こすことなく安全に使用することができる。
【産業上の利用可能性】
【００２９】  本考案の暖房機能付き靴は、底と、胛部、爪先部及び踵部全体を覆う胛皮とから主として構成され、胛皮の中央部分に形成されていて、靴紐を締めた時に足に食い込むのを防いだり、砂などが靴内部へ侵入するのを防止するタンを備えた靴において、前記タン自体を利用してその表面に断熱性の材料で後方に向けて開口部を有する発熱剤収容袋を形成し、前記発熱剤収容袋に発熱剤を着脱可能に挿入したので、本来靴にとって副次的機能である暖房機能を、材料及び製造コストをできるだけ抑えて付与することが可能となり、タンを断熱性の材料で製造するので、使用者に低温火傷を負わせないような構造にすることができ、タンを断熱性の材料で後方に向けて開口部を有する発熱剤収容袋状に形成し、発熱剤収容袋に発熱剤を着脱可能に挿入するので、使用環境の状況、使用者の希望等により随時脱着ができるので、使用者に低温火傷を負わせる危険性の排除が一層確保され、特段に製造コストを上げることがなく、開口部に発熱剤収容袋を閉鎖するための係止装置を取付け、挿入されている発熱剤が脱落するのを防止するようにしたので、発熱剤の靴への着脱を速やかに行い、一旦挿入した発熱剤は使用中確実に固定され、発熱剤の効果が維持・確保されるので、冬季用或いは寒冷地用或いは特に高齢者及び幼児、低温箇所で作業する、婦人等向け特殊用途靴としての産業上の利用可能性がある。
【符号の説明】
【００３０】１  底
２  胛皮
３  胛部
４  爪先部
５  踵部
６  タン
７  発熱剤収容袋
８  発熱剤収容袋の表層材
９  開口部
１０、１１  係止装置
１２  タン６の前方部
１３  タン６の後方部
【図１】
0003167379.tif 000003
【図２】
0003167379.tif 000004
【図３】
0003167379.tif 000005
【図４】
0003167379.tif 000006